(57)【要約】【課題】水位を検知するフロート表面や液体貯留タンクの内壁に付着物が堆積しないようにし、フロートスイッチの動作不良を防止するとともに、それらの清掃を容易にする。【解決手段】液体貯留タンク３と、液体貯留タンク３内の液位を検知するフロートスイッチ２４Ａ，２４Ｂと、液体貯留タンク３に液体を供給する液体供給手段１６と、フロートスイッチ２４Ａ，２４Ｂの液位の検知結果に基づいて液体貯留タンク３への液体の供給を制御する液体供給制御手段４１Ａ，４１Ｂと、を備えた液体貯留装置１Ａ，１Ｂにおいて、液体供給制御手段４１Ａ，４１Ｂは、液体貯留タンク３に液体を供給するときフロートスイッチ２４Ａ，２４Ｂが所定の液位を検知してから液体の供給を停止するものであって、フロートスイッチ２４Ａ，２４Ｂが所定の液位を検知してから液体貯留タンク３に供給される液体の量を可変とする。【選択図】      図１
2011162199.tif 000002
【特許請求の範囲】
【請求項１】
液体が貯留される液体貯留タンクと、前記液体貯留タンク内の液位を検知するフロートスイッチと、前記液体貯留タンクに液体を供給する液体供給手段と、前記フロートスイッチの液位の検知結果に基づいて前記液体貯留タンクへの液体の供給を制御する液体供給制御手段と、を備えた液体貯留装置において、前記液体供給制御手段は、前記液体貯留タンクに液体を供給するとき前記フロートスイッチが所定の液位を検知してから液体の供給を停止するものであって、前記フロートスイッチが所定の液位を検知してから前記液体貯留タンクに供給される液体の量を可変とすることを特徴とする液体貯留装置。
【請求項２】
前記液体供給制御手段は、前記液体貯留タンクに液体を供給するとき前記フロートスイッチが所定の液位を検知してから液体の供給を停止するものであって、前記フロートスイッチが所定の液位を検知してから液体の供給を停止するまでの遅延時間を制御することにより、前記液体貯留タンクに供給される液体の量を可変することを特徴とする請求項１に記載の液体貯留装置。
【請求項３】
前記液体供給制御手段は、前記液体貯留タンクに液体を供給するとき前記フロートスイッチが所定の液位を検知してから液体の供給を停止するものであって、前記フロートスイッチが所定の液位を検知してから前記液体貯留タンクに供給される液体の量を、その都度に変化させることを特徴とする請求項１又は請求項２に記載の液体貯留装置。
【請求項４】
前記前記液体供給制御手段は、前記液体貯留タンクに液体を供給するとき前記フロートスイッチが所定の液位を検知してから液体の供給を停止するものであって、前記フロートスイッチが所定の液位を検知してから前記液体貯留タンクに供給される液体の量を、所定の経過時間に応じて変化させることを特徴とする請求項１又は請求項２に記載の液体貯留装置。
【発明の詳細な説明】
【技術分野】
【０００１】
本発明は、カップ式自動販売機や飲料ディスペンサ等の液体貯留装置に関し、特にその液体貯留容器の内部に所定量の液を貯留する液体貯留装置に関する。
【背景技術】
【０００２】
従来のこの種の液体貯留装置としては、先に公開された特開２００１−１６５５０６号公報（特許文献１）に記載されるような液体貯留装置が知られている。この特許文献１に記載される液体貯留装置は、湯を貯留する貯湯タンクと、この貯湯タンクに水を補給する給水口と、貯湯タンク内の湯の水位を検知するフロートスイッチと、を備え、フロートスイッチの検知する水位に応じて給水口を開閉動作させ、給水口から貯湯タンクに供給される水量を制御することによって、設定された一定量の湯が貯湯タンク内に常に貯留されるように構成されている。ここで、このフロートスイッチは、貯湯タンク内の水面（湯面）上に浮遊し、水面の上下の変動に追従して移動するフロートと、そのフロートの略中央を僅かな隙間を介して上下方向に貫通し、そのフロートを水面の変動に応じて上下方向に案内する棒状のフロートガイドを有している。そして、このような液体貯留装置においては、貯湯タンク内の水位は、略一定の水位（満水状態）に保持される状態が長く続くから、その水位の水面に接するフロートガイドの外周面や、湯タンクの内壁面に湯に溶解・混合する物質（水垢等）が付着し、漸次堆積する。またフロートは、その水面に接する吃水線が略一定であるから、それに沿って湯に溶解・混合する物質が同様に付着し、堆積し易い。そうすると、この従来の液体貯留装置においては、フロートガイドの外周面に付着する堆積物やフロートの吃水部に付着する残留物質が、フロートとフロートガイドの間に介在する僅かな隙間を塞ぎ、フロートが水面変動に対して円滑に追従できなくなることで、フロートスイッチが適宜に動作しない問題が生じる虞があった。
【０００３】
そして、このような問題を解決すため、先に公開された特開２００３−３０７４５０号公報（特許文献２）に記載されるような液体貯留タンクが出願されている。この特許文献２に記載される液体貯留タンクは、液体を貯留するタンクと、このタンク内に臨む液体供給管と、そのタンク内の液面を検知して動作するフロートスイッチを備え、フロートスイッチの動作により液体供給管からタンク内へ液体を供給する液体貯留タンクであり、液体供給管に洗浄液噴射孔を設けて、タンク内への液体供給時に洗浄液噴射孔からフロートスイッチを構成するフロートやフロートガイドに向けて液体を噴射し、それらの表面を洗浄するものである。すなわち、これにより貯留タンクにおけるフロートスイッチのフロートやフロートガイドの表面での残留物質の付着を防止して、その機能を長期間保持させようとするものである。
【先行技術文献】
【特許文献】
【０００４】
【特許文献１】特開２００１−１６５５０６号公報
【特許文献２】特開２００３−３０７４５０号公報
【発明の概要】
【発明が解決しようとする課題】
【０００５】
ところで、特許文献２に記載される液体貯留タンクにおいては、液体供給管に洗浄液噴射孔を設けるからその構造が複雑になり、コストが上昇する。また、フロート各部の表面の洗浄が行われるのは、液体供給管からの液体の供給時であるから、液体の供給間隔が長くなるとその付着物が固着して、洗浄によっても付着物が除去できない虞がある。さらに、液体貯留タンクの内壁に付着する残留物質は、洗浄の対象ではないから、別途に洗浄する手間が必要である。この液体貯留タンクには、このような問題があった。
本発明は、このような問題に対応するため、特別な装置を用いないで、フロート各部の表面や液体貯留タンクの内壁へ付着する物質が堆積しないようにして、フロートスイッチの動作不良を防止するとともに、その清掃を容易にすることができるコストの安い液体貯留装置を提供することを目的とするものである。
【課題を解決するための手段】
【０００６】
上記課題を解決するため、請求項１に係る発明は、液体が貯留される液体貯留タンクと、前記液体貯留タンク内の液位を検知するフロートスイッチと、前記液体貯留タンクに液体を供給する液体供給手段と、前記フロートスイッチの液位の検知結果に基づいて前記液体貯留タンクへの液体の供給を制御する液体供給制御手段と、を備えた液体貯留装置において、前記液体供給制御手段は、前記液体貯留タンクに液体を供給するとき前記フロートスイッチが所定の液位を検知してから液体の供給を停止するものであって、前記フロートスイッチが所定の液位を検知してから前記液体貯留タンクに供給される液体の量を可変とするものである。これによれば、前記液体貯留タンクに液体を補給するとき、その内部に貯留される液体の量を変化させることによって、液体補給時の前記液体貯留タンク内の液位を容易に変化させることができる。
また、請求項２に係る発明は、請求項１に記載の液体貯留装置において、前記液体供給制御手段は、前記液体貯留タンクに液体を供給するとき前記フロートスイッチが所定の液位を検知してから液体の供給を停止するものであって、前記フロートスイッチが所定の液位を検知してから液体の供給を停止するまでの遅延時間を制御することにより、前記液体貯留タンクに供給される液体の量を可変するものである。これによれば、流量計等の特別な装置を備えることなく、前記液体貯留タンクに供給される液体の量を変化させることができる。
【０００７】
また、請求項３に係る発明は、請求項１又は請求項２に記載の液体貯留装置において、前記液体供給制御手段は、前記液体貯留タンクに液体を供給するとき前記フロートスイッチが所定の液位を検知してから液体の供給を停止するものであって、前記フロートスイッチが所定の液位を検知してから前記液体貯留タンクに供給される液体の量を、その都度に変化させるものである。これによれば、前記液体貯留タンクに液体を補給するとき、その内部に貯留される液体の量を、液体の補給の都度に変化させ、その液位を変化させることができる。
また、請求項４に係る発明は、請求項１又は請求項２に記載の液体貯留装置において、前記液体供給制御手段は、前記液体貯留タンクに液体を供給するとき前記フロートスイッチが所定の液位を検知してから液体の供給を停止するものであって、前記フロートスイッチが所定の液位を検知してから前記液体貯留タンクに供給される液体の量を、所定の経過時間に応じて変化させるものである。これによれば、前記液体貯留タンクに液体を補給するとき、その内部に貯留される液体の量を、所定の経過時間に応じて変化させることができる。
【発明の効果】
【０００８】
以上説明したように請求項１に係る発明によれば、液体貯留タンクに液体を補給するとき、その内部に貯留される液体の量を変化させることによって、液体補給時の液体貯留タンク内の液位を容易に変化させることができるから、例えばフロートスイッチのフロートガイドの周面や液体貯留タンクの内壁に、液体の水面付近で付着する液体の残留物質の付着位置を変化させることができる。すなわち、同一箇所に液体の残留物質が堆積されて盛り上がることが防止されるから、フロートスイッチを構成するフロートとフロートガイドの間に介在する僅かな隙間に液体の残留物質が堆積することがなく、これによりフロートスイッチの動作不良が防止される。また、液体の残留物質が、液体貯留タンクの内壁の一箇所に集中して堆積し固着することがなくなるから、その清掃を容易にすることができる。
また、請求項２に係る発明によれば、流量計等の特別な装置を備えることなく、液体貯留タンクに供給される液体の量を変化させることができるから、コストの安い液体貯留装置を提供することができる。
また、請求項３に係る発明によれば、液体貯留タンクに液体を補給するとき、その内部に貯留される液体の量を、液体の補給の都度に変化させ、その液位を変化させることによって、例えば液体の水面付近でフロートスイッチの表面や液体貯留タンクの内壁に付着する液体の残留物質が、同一箇所に堆積して付着することが確実に防止される。また、請求項４に係る発明によれば、液体貯留タンクに液体を補給するとき、その内部に貯留される液体の量を、所定の経過時間に応じて変化させ、その液位を変化させることによって、上記と同様に液体の水面付近でフロートスイッチ各部の表面や液体貯留タンクの内壁に付着する液体の残留物質が、同一箇所に堆積して付着することが適宜に防止される。すなわち、例えばフロートスイッチの動作不良を防止し、清掃を容易にすることができるコストの安い液体貯留装置を提供することができる。
【図面の簡単な説明】
【０００９】
【図１】本発明の第一の実施形態に係る液体貯留装置を概略的に示す縦断面図である。
【図２】本発明の第一の実施形態に係る液体貯留装置の制御手段の要部構成を示すブロック図である。
【図３】本発明の第二の実施形態に係る液体貯留装置を概略的に示す縦断面図である。
【図４】本発明の第二の実施形態に係る液体貯留装置の制御手段の要部構成を示すブロック図である。
【発明を実施するための形態】
【００１０】
以下、本発明の実施の形態の液体貯留装置について、図面を参照して説明する。
図１は本発明の第一の実施形態に係る液体貯留装置を概略的に示す縦断面図、図２は本発明の第一の実施形態に係る液体貯留装置の制御手段の要部構成を示すブロック図である。
この液体貯留装置１Ａは、カップ式自動販売機や飲料ディスペンサ等において湯を貯留する貯湯装置であって、図に示すように上面を開口して箱型状に形成された貯湯タンク（液体貯留タンク）３と、その上面開口を覆う蓋部４を備えている。そして、この貯湯タンク３Ｂの底部には貯留される湯を加熱するためのヒータ１０が設けられている。また、貯湯タンク３の上部には給水口１５が配置され、給水弁（液体供給手段）１６を介して清水の供給される給水源（図示なし）と接続されている。また、貯湯タンク３の下部には湯吐出口２０が設けられ、湯ポンプ２１を介して飲料を調理するミキシングボールやコーヒーブリュア（いずれも図示なし）に接続されている。すなわち、この貯湯タンク３内には給水口１５から供給された清水が湯として貯留され、必要に応じて湯吐出口２０からミキシングボールやコーヒーブリュアに供給されるように構成されている。なお、貯湯タンク３の上方には、貯湯タンク３から溢れた湯を排出するためのオーバーフロー管１９が配設されている。
【００１１】
ところで、この貯湯タンク３には所定量の湯が貯留されるようになっている。そのため、貯湯タンク３には、貯留された湯の水位を検知するフロートスイッチ２４Ａが設けられている。このフロートスイッチ２４Ａは、略垂直に立設された縦長の案内パイプ２５と、この案内パイプ２５の外周に僅かな隙間を設けて摺動自在に嵌装された中空円筒状のフロート２７Ａから構成されている。案内パイプ２５の内部には、上下の２箇所に上限リードスイッチ２９Ａと、下限リードスイッチ３０Ａが配置されている。この上限リードスイッチ２９Ａと下限リードスイッチ３０Ａはフロート２７Ａがその周囲の位置に移動すると、フロート２７Ａに埋設された磁石（図示なし）に感応して動作するように構成されている。このフロートスイッチ２４Ａは蓋部４の裏側に垂下状に取り付けられている。また、案内パイプ２５の外周における下側の下限リードスイッチ３０Ａの下方には、フロート２７Ａを突き当てるストッパ３１が嵌着されている。ここで、上側の上限リードスイッチ２９Ａは上限水位ＷＨを、下側の下限リードスイッチ３０Ａは下限水位ＷＬをそれぞれ検知するように機能する。なお、上限水位ＷＨは満水位を示し、下限水位ＷＬは清水の補給を必要とする水位を示す。また、貯湯タンク３の上部に設けられる給水口１５の下方には、給水口１５から供給される清水を貯湯タンク３の底部に導いて放出する導水板１３が設けられている。
【００１２】
また、図２に示すように、この液体貯留装置１Ａの制御手段４０Ａは、装置全体を制御する主制御部４１Ａ（液体供給制御手段）を備え、主制御部４１Ａは制御プログラム等を記憶する不揮発メモリ部４２ａと、設定データ、運転履歴等の種々のデータを記憶する揮発メモリ部４２ｂと、時間を計時する時計部４３と、を備えている。そして、この主制御部４１Ａには、貯湯タンク３内の湯を加熱するヒータ１０の駆動、制御を行う加熱制御部４６と、給水口１５から貯湯タンク３に清水を供給するとき開く給水弁１６と、貯湯タンク３内の湯を湯吐出口２０を介して吐出するとき動作する湯ポンプ２１と、フロートスイッチ２４Ａを構成するものであって貯湯タンク３内の上限水位ＷＨを検知する上限リードスイッチ２９Ａと、同様の貯湯タンク３Ａ内の下限水位ＷＬを検知する下限リードスイッチ３０Ａと、各種の設定入力や履歴表示の操作を行う設定入力装置４７等が接続されている。
次に、このように構成される第一の実施形態の液体貯留装置１Ａの動作について説明する。先ず初めに、給水弁１６が開かれて、給水口１５から貯湯タンク３に清水の供給が開始される。そして、貯水タンク３Ａの水位が上昇し、それに伴ってフロートスイッチ２４Ａのフロート２７Ａが上昇移動し、その水位が上限水位ＷＨに達したことが上限リードスイッチ２９Ａの作動により検知されると、その後に給水弁１６が閉じられて給水口１５からの給水が停止される。
【００１３】
この場合、上限リードスイッチ２９Ａが作動すると、主制御部４１Ａはその時計部４３の計時を開始し、所定の遅延時間が経過したとき給水弁１６を閉じて給水を停止する。ここで、この所定の遅延時間は、給水弁１６が開かれて給水口１５から貯水タンク３Ａに清水が供給される都度に変化するように設定され、これにより貯湯タンク３内に貯留される湯の量をその都度に変更し、その水位を変化させるように制御される。すなわち、これにより貯湯タンク３への給水の都度に水面の位置が上下に変化するように制御される。
そしてこの給水の後、例えば、湯ポンプ２１が駆動されて、貯湯タンク３内の湯が湯吐出口２０からミキシングボールやコーヒーブリュアに供給されると、貯湯タンク３の水位が次第に低下する。そして、フロートスイッチ２４Ａのフロート２７Ａが下方に移動し、その水位が下限水位ＷＬに到達したことが下限リードスイッチ３０Ａにより検知されると、給水口１５側の給水弁１６が開いて清水の供給が開始される。そして、その水位が上限水位ＷＨに達したことが上限リードスイッチ２９Ａの作動により検知されると上述の動作と同様に給水が停止される。なお、上限リードスイッチ２９Ａが作動してから、給水弁１６が閉じられるまでの遅延時間は、給水の都度に変更するものではなく、例えば、貯湯タンク３内の湯を取り替えた時刻を基準として、その後に経過する経過時間に応じて変更されるものであってもよい。なお、この経過時間は、貯湯タンク３内の湯の水質等に応じて（すなわち残留物質の付着のし易さ等に応じて）、適宜に設定することもできる。
【００１４】
以上のように、本発明の第一の実施形態に係る液体貯留装置１Ａによれば、貯湯タンク３に清水を補給するとき、その内部に貯留される湯の量を変化させることによって、給水時の貯湯タンク３内の水位を容易に変化させることができるから、例えばフロートスイッチ２４Ａの案内パイプ２５の周面や貯湯タンク３の内壁に、湯の水面付近で付着する湯の残留物質の付着位置を変化させることができる。すなわち、同一箇所に湯の残留物質が堆積されて盛り上がることが防止されるから、フロートスイッチ２４Ａを構成するフロート２７Ａと案内パイプ２５の間に介在する僅かな隙間に湯の残留物質が堆積することがなく、これによりフロートスイッチ２４Ａの動作不良が防止される。また、湯の残留物質が、貯湯タンク３の内壁の一箇所（例えば特定の吃水線）に集中して堆積し固着することもなくなるから、その清掃を容易にすることができる。
また、フロートスイッチ２４Ａが所定の水位を検知してから清水の供給を停止するまでの遅延時間を制御することにより、流量計等の特別な装置を備えることなく、貯湯タンク３に供給される清水の量を変化させることができるから、コストの安い液体貯留装置を提供することができる。
また、貯湯タンク３に清水を補給するとき、その内部に貯留される湯の量を、清水の補給の都度、または基準時刻（例えば、湯を取り替えた時刻等）からの経過時間に応じて変化させ、その水位を変化させることによって、例えば、フロートスイッチ２４Ａの案内パイプ２５及びフロート２７Ａの表面や貯湯タンク３の内壁に、湯の水面付近で付着する湯の残留物質が、同一箇所に堆積して付着することが防止される。すなわち、フロートスイッチ２４Ａ等の動作不良を防止し、また清掃を容易にすることができる液体貯留装置を提供することができる。
【００１５】
次に本発明の第二の実施形態に係る液体貯留装置について説明する。
図３は本発明の第二の実施形態に係る液体貯留装置を概略的に示す縦断面図、図４は本発明の第二の実施形態に係る液体貯留装置の制御手段の要部構成を示すブロック図である。この第二の実施形態に係る液体貯留装置は、第一の実施形態に係る液体貯留装置において貯湯タンク３内に略垂直に立設されたフロートスイッチ２４Ａに替えて、「く」字状に折曲された支持棒２６の下端にフロート２７Ｂを有する他の形態のフロートスイッチ２４Ｂを配設したものである。なお、第一の実施形態に係る液体貯留装置に備えるものと同じ、または同様の機能を有するものには同符号を付し、その説明を省略する。
この液体貯留装置１Ｂの貯湯タンク３には、第一の実施形態の液体貯留装置と同様に所定量の湯が貯留されるようになっている。そのため、この貯湯タンク３には、貯留された湯の水位を検知するフロートスイッチ２４Ｂが設けられている。このフロートスイッチ２４Ｂは、「く」字状に折曲された支持棒２６と、支持棒２６の下端に設けられ、水面の変化に連動して上下するフロート２７Ｂと、蓋部４の上面に設けられて支持棒２６を左右に搖動自在に支持する支軸部２８と、支軸部２８の両側に配設され、支持棒２６の搖動に連動して動作する上限水位スイッチ２９Ｂと下限水位スイッッチ３０Ｂと、から構成されている。このフロートスイッチ２４Ｂは、フロート２７Ｂが蓋部４の裏側に垂れ下がるように取り付けられている。そして、この上限水位スイッチ２９Ｂは、フロート２７Ｂが満水状態にある貯湯タンク３に浮遊するとき、フロート２７Ｂが一端に設けられた支持棒２６の他端側に押圧されて動作し、また下限水位スイッチ３０Ｂは、フロート２７Ｂが清水の補給を必要と水位にある貯湯タンク３に浮遊するとき、同様に支持棒２６の他端側に押圧されて動作するように構成されている。すなわち、上限水位スイッチ２９Ｂは満水位の上限水位ＷＨを、下限水位スイッチ３０Ｂは清水の補給を必要とする下限水位ＷＬをそれぞれ検知するように機能する。
【００１６】
また、図４に示すように、この液体貯留装置１Ｂの制御手段４０Ｂは、装置全体を制御する主制御部（液体供給制御手段）４１Ｂを備え、主制御部４１Ｂは制御プログラム等を記憶する不揮発メモリ部４２ａと、設定データ、運転履歴等の種々のデータを記憶する揮発メモリ部４２ｂと、時間を計時する時計部４３と、を備えている。そして、この主制御部４１Ｂには、貯湯タンク３内の湯を加熱するヒータ１０の駆動、制御を行う加熱制御部４６と、給水口１５から貯湯タンク３に清水を供給するとき開く給水弁１６と、貯湯タンク３内の湯を湯吐出口２０を介して吐出するとき動作する湯ポンプ２１と、貯湯タンク３Ｂ内の上限水位を検知する上限水位スイッチ２９Ｂと、貯湯タンク３Ｂ内の下限水位を検知する下限水位スイッチ３０Ｂと、各種の設定入力や履歴表示の操作を行う設定入力装置４７等が接続されている。
次に、このように構成される第二の実施形態の液体貯留装置１Ｂの動作について説明する。先ず初めに、給水弁１６が開かれて、給水口１５から貯湯タンク３Ｂに清水の供給が開始される。そして、貯湯タンク３の水位が上昇し、それに伴ってフロートスイッチ２４Ｂのフロート２７Ｂが上昇移動し、その水位が上限水位ＷＨに達したことが上限水位スイッチ２９Ｂの作動により検知されると、その後に給水弁１６が閉じられて給水口１５からの給水が停止される。
【００１７】
この際に、上限水位スイッチ２９Ｂが作動すると、主制御部４１Ｂは、第一の実施形態の液体貯留装置１Ａと同様に、その時計部４３の計時を開始し、所定の遅延時間が経過したとき給水弁１６を閉じて給水を停止する。ここで、この所定の遅延時間は、給水弁１６が開かれて給水口１５から貯湯タンク３に清水が供給される都度に変化するように設定され、これにより貯湯タンク３内に貯留される湯の量をその都度に変更し、その水位を変化させるように制御される。すなわち、これにより貯湯タンク３への給水の都度に水面の位置が上下に変化するように制御される。
そしてこの給水の後、例えば、湯ポンプ２１が駆動されて、貯湯タンク３内の湯が湯吐出口２０からミキシングボールやコーヒーブリュアに供給されると、貯湯タンク３Ｂの水位が次第に低下する。そして、フロートスイッチ２４Ｂのフロート２７Ｂが下方に移動し、その水位が下限水位ＷＬに到達したことが下限水位スイッチ３０Ｂにより検知されると、給水口１５側の給水弁１６が開いて清水の供給が開始される。そして、その水位が上限水位ＷＨに達したことが上限水位スイッチ２９Ｂの作動により検知されると上述の動作と同様に給水が停止される。なお、上限水位スイッチ２９Ｂが作動してから、給水弁１６が閉じられるまでの遅延時間は、給水の都度に変更するのではなく、貯湯タンク３Ｂ内の湯を取り替えた時刻を基準として、その後の経過時間に応じて変更されるようにしても当然よい。
【００１８】
以上のように、本発明の第二の実施形態に係る液体貯留装置１によれば、貯湯タンク３に清水を補給するとき、その内部に貯留される湯の量を変化させることによって、給水時の貯湯タンク３内の水位を容易に変化させることができるから、例えばフロートスイッチ２４Ｂのフロート２７Ｂ表面や貯湯タンク３Ｂの内壁に、水面付近で付着する湯の残留物質の付着位置を変化させることができる。すなわち、第一の実施形態の液体貯留装置１Ａと同様に、同一箇所に湯の残留物質が堆積されて盛り上がることが防止されるから、湯の残留物質が、フロート２７Ｂ表面や貯水タンク３Ｂの内壁等の一定箇所（特定の吃水線等）に集中して堆積し固着することがなくなるから、その清掃を容易にすることができる。
なお、本発明は、言うまでもなく本実施の形態に示す装置にのみ限定されず、その趣旨の包含する範囲で応用変更が可能である。例えば、給水弁１６を閉じて給水を停止するときに、時計部４３により計時が開始される遅延時間の起算を、上限リードスイッチ２９Ａ又は上限水位スイッチ２９Ｂが動作するときではなく、下限リードスイッチ３０Ａ又は下限水位スイッチ３０Ｂが動作するときとしても良い。そうすれば、上限リードスイッチ２９Ａ又は上限水位スイッチ２９Ｂを削除することも可能であるから、コストを安くすることもできる。また、フロートスイッチ２４Ａ，２４Ｂや貯湯タンク３等の形状や配置構成等は、本発明を実施する液体貯留装置の態様、構成に応じて適宜に設定されるものである。
【符号の説明】
【００１９】
１Ａ  （第一の実施形態に係わる）液体貯留装置
１Ｂ  （第二の実施形態に係わる）液体貯留装置
３  貯湯タンク（液体貯留タンク）
１５  給水口
１６  給水弁（液体供給手段）
１８  排水弁
２１  湯ポンプ
２４Ａ  （第一の実施形態に係わる）フロートスイッチ
２４Ｂ  （第二の実施形態に係わる）フロートスイッチ
２７Ａ  （第一の実施形態に係わる）フロート
２７Ｂ  （第二の実施形態に係わる）フロート
２９Ａ  上限リードスイッチ
２９Ｂ  上限水位スイッチ
３０Ａ  下限リードスイッチ
３０Ｂ  下限水位スイッチ
４１Ａ  （第一の実施形態に係わる）主制御部（液体供給制御手段）
４１Ｂ  （第二の実施形態に係わる）主制御部（液体供給制御手段）
４３  時計部
【図１】
2011162199.tif 000003
【図２】
2011162199.tif 000004
【図３】
2011162199.tif 000005
【図４】
2011162199.tif 000006